(57)【要約】    【課題】大形のタックルのほか小物類も整理して収容することができ、しかも釣人にとってこれらを容易に取り出すことができる釣用バッグの提供。    【解決手段】この釣用バッグ１０は、バッグ本体１１とタックルケース１３とを備える。タックルケース１３は、バッグ本体１１に出入自在に嵌め込まれている。バッグ本体１１に座部１９が設けられており、タックルケース１３は、この座部１９の上に載置されている。タックルケース１３は蓋３４を備えており、この蓋３４がタックルケース１３の開口１４から露出している。タックルケースの蓋３４は、透明な材料からなる。この蓋３４は、小物収容ポケットを備えている。【選択図】図３
2006174729.tif 000002
【特許請求の範囲】
【請求項１】
開口を有する容器状に形成されたバッグ本体と、
上面に開閉自在な蓋が設けられ、バッグ本体に対して取出自在に収容されるタックルケースとを備え、
バッグ本体は、上記開口の周縁部の近傍にタックルケースを支持する座部を有し、
当該座部は、タックルケースを支持した状態で上記蓋がバッグ本体の開口から外部に露出する位置に配置されている釣用バッグ。
【請求項２】
上記バッグ本体は、内壁面を構成する容器状の樹脂製コア部材を有し、
上記座部は、樹脂製コア部材の隅部にバッグ本体の内側に突出するように一体的に形成された突部により構成されている請求項１に記載の釣用バッグ。
【請求項３】
上記蓋は、スライドファスナーを介して開閉自在となっており、
上記タックルケースは、上記スライドファスナーが露出するように上記バッグ本体に支持されている請求項１又は２に記載の釣用バッグ。
【請求項４】
上記タックルケースの蓋は、透明な材料からなる請求項１から３のいずれかに記載の釣用バッグ。
【請求項５】
上記蓋は、小物収容ポケットを備えている請求項１から４のいずれかに記載の釣用バッグ。
【発明の詳細な説明】
【技術分野】
【０００１】
本発明は、魚釣り（特に船釣り）に使用されるバッグに関し、より詳細には船釣り用タックルを効率良く収容するバッグの構造に関するものである。
【背景技術】
【０００２】
釣行の際に釣人は、ロッド、リールのほかさまざまな釣道具を携帯する。特に船釣では、電動リールやロッドキーパー等の大形で重量が大きいタックルが用いられることが多い。そのため、釣人は、通常のタックル（典型的には、釣糸、針、プライヤ等の小物）に加えて電動リールや電源装置等の大形のタックルも携帯する必要がある。釣人は、従来からロッドケース及び釣用バッグにこれらの釣道具を効率的にコンパクトに収納し、釣場に持ち込んでいた（例えば、特許文献１参照）。
【０００３】
前述のようにタックルの種類は、その外形及び重量が大きいものから小さいものまで様々である。そのため、釣人は、多くの釣道具を釣用バッグにコンパクトに収納するために工夫が必要であった。例えば、外形も重量も大きい電源装置等は、釣用バッグの内奥部に収容され、次にリール等の中型の道具が収容され、最後に釣糸や針等の小物類が収容される。これら小物類は、小物用のタックルケース（「システムケース」と称されることもある。）に別途収容され、このタックルケースが釣用バッグに収容される場合もある（例えば、特許文献２参照）。
【０００４】
【特許文献１】特開２０００−６０４０１公報
【特許文献２】2004 SHIMANO Fishing Tackle Catalogue (P.197、P199）
【発明の開示】
【発明が解決しようとする課題】
【０００５】
ところが、タックルケースが単に釣用バッグに収容される場合には、釣用バッグ内でタックルケースの位置が定まらず、釣人にとって使い勝手が悪いという問題がある。具体的には、例えば、釣用バッグから大形のタックルが取り出された後にタックルケースが釣用バッグに収容されると、このタックルケースは釣用バッグの内奥部まで進入することになるから、釣人が実釣中にタックルケースから釣糸等を取り出す際には、釣用バッグの内奥部からタックルケースを引き出さなければならなかった。また、タックルケースは上記小物類を収容するものであるから、これらを整理して保持しておくことができる構造を備えていることが望ましい。
【０００６】
そこで、本発明の目的は、大形のタックルのほか小物類も整理して収容することができ、しかも釣人にとってこれらを容易に取り出すことができる釣用バッグを提供することである。
【課題を解決するための手段】
【０００７】
(1) 上記目的が達成されるため、本発明に係る釣用バッグは、開口を有する容器状に形成されたバッグ本体と、上面に開閉自在な蓋が設けられ、バッグ本体に対して取出自在に収容されるタックルケースとを備えている。バッグ本体は、上記開口の周縁部の近傍にタックルケースを支持する座部を有する。当該座部は、タックルケースを支持した状態で上記蓋がバッグ本体の開口から外部に露出する位置に配置されている。
【０００８】
この構成によれば、例えば電動リールやロッドキーパ等の大形で重量が大きいタックルはバッグ本体に収容され、釣針、釣糸等の小形軽量のタックルはタックルケースに収容される。そして、このタックルケースは、バッグ本体内に収容される。このとき、タックルケースは、バッグ本体に設けられた座部によって支持され、これにより、タックルケースの蓋がバッグ本体の開口から外部に露出する。
【０００９】
(2) 上記バッグ本体は、内壁面を構成する容器状の樹脂製コア部材を有するのが好ましい。上記座部は、樹脂製コア部材の隅部にバッグ本体の内側に突出するように一体的に形成された突部により構成されているのが好ましい。この構成では、樹脂製コア部材がバッグ本体の内部に嵌め込まれた状態となり、当該樹脂製コア部材によってバッグ本体の内壁面が構成される。したがって、海水や釣餌等が内壁面に付着したとしても、これらは容易に洗い流される。しかも、座部がこの樹脂製コア部材と一体的に形成されているから、座部が安価に形成され、その位置決めも容易になされる。したがって、タックルケースは、バッグ本体の内部の所定位置に正確に位置決めされ、上記蓋がバッグ本体の開口から確実に露出する。
【００１０】
上記蓋は、スライドファスナーを介して開閉自在となっており、上記タックルケースは、上記スライドファスナーが露出するように上記バッグ本体に支持されているのが好ましい。この構成では、釣人がスライドファスナーを操作するだけで簡単にタックルケースの蓋を開閉することができる。したがって、釣人は、実釣中に片手でタックルケースの蓋を開け、小物類を取り出すことができる。
【００１１】
上記タックルケースの蓋は、透明な材料から構成されているのが好ましい。この場合、釣人は、タックルケースに収容されている小物類を確認することができる。したがって、釣人は、タックルケースを開ける前に取り出そうとするタックルが存在するか否かを確認することができる。
【００１２】
上記蓋は、小物収容ポケットを備えているのが好ましい。これにより、釣人は、複数の小物類をさらに分類して整理収容することができるという利点がある。
【発明の効果】
【００１３】
本発明によれば、大形のタックルはバッグ本体に収容され、小形のタックルはタックルケースに収容されるので、タックルは、その種類に応じて分類して整理収容される。しかも、タックルケースの蓋がバッグ本体の開口から外部に露出するから、釣人は、実釣中であってもタックルケースの蓋を自在に開閉することができ、小物類を容易に取り出すことができる。
【発明を実施するための最良の形態】
【００１４】
以下、適宜図面が参照されつつ、好ましい実施形態に基づいて本発明が詳細に説明される。
【００１５】
図１は、本発明の一実施形態に係る釣用バッグの前方斜視図であり、図２は後方斜視図である。釣用バッグ１０は、バッグ本体１１と、これに設けられた扉１２とを備えている。図３は、この扉１２が開かれた状態の釣用バッグ１０の斜視図であり、図４は、図３の要部拡大斜視図である。図３及び図４が示すように、バッグ本体１１には、タックルケース１３が収容されている。タックルケース１３は、後述されるようにバッグ本体１１に対して取出自在に収容されている。本実施形態の特徴とするところは、このタックルケース１３がバッグ本体１１の所定位置に配置されるようになっている点であり、これにより、釣人は、タックルケース１３の開閉をきわめて簡単に行うことができ、タックルケース１３に対してタックルを自在に出し入れすることができる。
【００１６】
図５は、タックルケース１３が取り外された状態におけるバッグ本体１１の斜視図であり、図６は、図５における要部拡大斜視図である。これらの図が示すように、バッグ本体１１は略直方体の容器状に形成されており、上面に開口１４が設けられている。このバッグ本体１１の内部空間には、さまざまな釣り道具が収容される。例えばこの釣用バッグ１０が船釣りの際に使用されるときは、電動リール、電源装置のほかロッドキーパ等の大形のタックルが収容され得る。
【００１７】
本実施形態では、このバッグ本体１１は、樹脂製のコア部材１５と、これを囲繞するカバー１６とを備えている。コア部材１５は、図５が示すように開口を有する容器状に形成されており、当該開口が上記バッグ本体１１の開口１４を構成している。コア部材１５を構成する樹脂は、典型的にはポリエチレン（ＰＥ）、ポリウレタン（ＰＵ）、エチレン酢酸ビニル共重合体（ＥＶＡ）、ポリ塩化ビニル（ＰＶＣ）、ポリプロピレン（ＰＰ）等が採用される。もっとも、コア部材１５を構成する樹脂は、他の種類が採用されてもよいことは勿論である。
【００１８】
カバー１６はコア部材１５の外周面を覆っており、これにより、コア部材１５が保護されている。カバー１６は、コア部材１５の外周面全体を覆うものでもよいが、本実施形態では、コア部材１５の側面のみを覆っている。したがって、コア部材１５の底面部は、バッグ本体１１の底面部を構成することになる。コア部材１５の底面に滑止部材等が設けられていてもよい。コア部材１５のカバー１６を構成する材料は、典型的にはポリ塩化ビニル（ＰＶＣ）、エチレン酢酸ビニル共重合体（ＥＶＡ）、ポリウレタン（ＰＵ）等が採用される。もっとも、カバー１６を構成する材料は、他のものが採用されてもよいことは勿論である。このカバー１６は、コア部材１５の上記開口の周縁部に沿って固定されており、当該開口周縁部には縁取テープ１７が設けられている。
【００１９】
コア部材１５は、金型により成形される。図５及び図６が示すように、コア部材１５は、内側に突出する柱部１８（突部）を有している。この柱部１８は、コア部材１５と一体的に形成されている。この柱部１８は、コア部材１５の４つの隅部に沿って上下に延びている。柱部１８の高さ寸法は、コア部材１５の深さ寸法よりも小さい。そのため、柱部１８の上面１９と、バッグ本体１１の開口周縁部との間に段差ｄが形成されている。この開口周縁部と上記上面１９との段差ｄは、５ｍｍ〜３００ｍｍの範囲に設定される。柱部１８の上面１９は、後述されるように上記タックルケース１３が支持される座部を構成している。本明細書では、上記上面１９は、座部１９と称される。
【００２０】
図１及び図２が示すように、バッグ本体１１に肩掛けベルト２０が設けられている。この肩掛けベルト２０は、ベルト本体２１と肩パッド２２とを備えている。ベルト本体２１は、エチレン酢酸ビニル共重合体（ＥＶＡ）、ポリ塩化ビニル（ＰＶＣ）、ポリプロピレン（ＰＰ）等からなり、バッグ本体１１を取り囲むようにバッグ本体１１の側面に固定されている。肩パッド２２は、ベルト本体１１に設けられており、ベルト本体１１に沿ってスライド可能となっている。肩パッド２２は、ベルト本体１１よりも幅寸法が大きく設定されており、内部に緩衝部材が配置されている。これにより、釣人が肩パッド２２を肩に掛けたときは、肩パッド２２は釣人の肩に沿って確実に当接するようになっている。
【００２１】
扉１２は、矩形の皿状に形成されており、たとえば、アクリロニトリルブタジエンスチレン共重合体（ＡＢＳ）エチレン酢酸ビニル共重合体（ＥＶＡ）、ポリエチレン（ＰＥ）、ポリプロピレン（ＰＰ）等から構成されている。扉１２は、バッグ本体１１に対して回動自在に設けられている。具体的には、図２が示すように、扉１２は、リング２３及び連結ベルト２４を有し、リング２３を介して連結ベルト２４がバッグ本体１１の後面と扉１２の後端面との間に掛け渡されている。したがって、扉１２は、バッグ本体１１に対して開閉自在となっている。なお、図１が示すように、扉１２は、バックル２５を介してバッグ本体１１に連結され得る。
【００２２】
図７は、バック本体１１の後面の拡大斜視図である。同図及び図２が示すように、バッグ本体１１の後面２６には、ベルト保持部２７が設けられている。このベルト保持部２７は、上記肩掛けベルト２０を保持するものであって、保持ベルト２８を備えている。保持ベルト２８は、例えば、ポリ塩化ビニル（ＰＶＣ）、ポリプロピレン（ＰＰ）、エチレン酢酸ビニル共重合体（ＥＶＡ）等からなり、細長矩形状に形成されている。保持ベルト２８は、２つ折れ状態で配置されている。具体的には、保持ベルト２８の基端部３０がバッグ本体１１に固定され、保持ベルト２８の中央部３２が折り曲げられて、先端部３１が基端部３０に重ね合わされている。
【００２３】
保持ベルト２８の内面に面ファスナー２９が設けられている。これにより、保持ベルト２８は、二つ折れ状態（図２が示す姿勢）と開放状態（図７が示す姿勢）との間で自在に姿勢変化される。上記肩掛けベルト２０は、保持ベルト２８によって挟持される。肩掛けベルト２０が保持ベルト２８によって保持されると、肩掛けベルト２０が当該釣用バッグ１０が載置された面（地面等）に接触することがないので、仮に当該載置面が汚れている場合であっても、肩掛けベルト２０が汚れてしまうことはない。
【００２４】
図８は、タックルケース１３の外観斜視図である。図９は、タックルケース１３の内部構造を詳細に示す斜視図であり、図１０は、図９における要部拡大斜視図である。これらの図及び図４が示すように、タックルケース１３は、ケース本体３３と、蓋３４とを備えている。ケース本体３３は、矩形のトレイ状に形成されている。ケース本体３３を構成する材料は、例えば、アクリロニトリルブタジエンスチレン共重合体（ＡＢＳ）、ポリプロピレン（ＰＰ）、ポリエチレン（ＰＥ）、エチレン酢酸ビニル共重合体（ＥＶＡ）等が採用される。かかる材料が採用されることにより、ケース本体３３の高い剛性が確保される。このケース本体３３の外形寸法は、上記バッグ本体１１の開口１４（図５参照）の寸法に対応されている。したがって、ケース本体３３は、ぴったりとバッグ本体１１の開口１４に嵌め込まれるようになっている。ケース本体３３がバッグ本体１１内に挿入されると、ケース本体３３の下面が上記座部１９（図５参照）に当接し、タックルケース１３は、図３が示すように、この座部１９に支持される。
【００２５】
蓋３４は、ケース本体３３の上面を開閉するように取り付けられている。具体的には、蓋３４はケース本体３３の形状に対応して矩形状に形成されており、その一の辺部がケース本体３３に対して回動自在に取り付けられている。そして、蓋３４の他の３つの辺部は、スライドファスナー３５を介してケース本体３３の開口周縁部に連結されている。図３及び図８が示すように、このスライドファスナー３５は、２つの摘み４４を有し、釣人にとって蓋３４の開閉が容易となっている。
【００２６】
図９が示すように、ケース本体３３の高さ寸法ｈは、上記段差ｄ（図５参照）に対応して設定されている。上記ケース本体３３の高さ寸法ｈが所定寸法に設定されることにより、図４が示すように、タックルケース１３がバッグ本体１１内に収容された状態で、上記蓋３４がバッグ本体１１の開口１４から外部に露出する。具体的には、上記スライドファスナー３５がバッグ本体１１の開口１４よりも上方に位置する。上記高さ寸法ｈは、上記段差ｄよりも大きく、例えば、５ｍｍ〜３００ｍｍの範囲で適宜設定され得る。
【００２７】
蓋３４は、透明の生地から構成されている。蓋３４を構成する生地は、典型的にはポリ塩化ビニル（ＰＶＣ）、ポリオレフィン等が採用される。図１１は、図１０におけるXI−XI断面図である。図１０及び図１１が示すように、蓋３４は、三枚の生地からなる。すなわち、蓋３４は、上記透明の生地３６と、この生地３６の内側に配置された生地３７と、さらに内側に配置された生地３８とを備えている。生地３７及び生地３８は、メッシュ構造を備えているのが好ましい。生地３６と生地３７とは略同一の形状であり、両者の周縁部同士が固着されている。生地３８は、矩形状を呈し、生地３７の下部に重ね合わせられている。生地３８の上縁を除く他の縁部は、生地３７の周縁部に固着されている。
【００２８】
生地３６を覆うように生地３７が配置され、しかも生地３７は、スライドファスナー３９を備えている。したがって、蓋３４は、生地３６と生地３７とによって形成されるポケット４１（小物収容ポケット）を備え、このポケット４１はスライドファスナー３９によって開閉自在である。さらに、生地３７に生地３８が重ね合わされているから、両者によって他のポケット４２（小物収容ポケット）が形成されている。そして、生地３７と生地３８との間に面ファスナー４０が設けられている。これにより、上記他のポケット４２は、開閉自在となっている。なお、本実施形態では、生地３８の中間部分３８ａ、３８ｂが生地３７に縫いつけられている。これにより、このポケット４２は３つの部分に区画されている。ただし、上記中間部分３８ａ、３８ｂが生地３７に縫いつけられていなくてもよいことは勿論である。
【００２９】
図８及び図９が示すように、タックルケース１３は、把手４３を備えている。この把手４３は、ケース本体３３の対向する側面に取り付けられている。各把手４３は、ポリ塩化ビニル（ＰＶＣ）、エチレン酢酸ビニル共重合体（ＥＶＡ）、ポリプロピレン（ＰＰ）等からなり、細長帯状に形成されている。釣人は、これら把手４３をケース本体３３の上方で束ねて持つことにより、タックルケース１３を持ち運ぶことができる。
【００３０】
この釣用バッグ１０では、電動リールやロッドキーパ等の大形で重量が大きいタックルはバッグ本体１１に収容され、釣針、釣糸等の小形軽量のタックルはタックルケース１３に収容される。このタックルケース１３は、バッグ本体１１内に収容されるが、当該タックルケース１３がバッグ本体１１に設けられた座部１９に載置され支持される。これにより、図４が示すように、タックルケース１３の蓋３４がバッグ本体１１の開口１４から外部に露出する。このように、大形のタックルはバッグ本体１１に収容され、小形のタックルはタックルケース１３に収容されるので、タックルは、その種類に応じて分類して整理される。しかも、タックルケース１３の蓋３４がバッグ本体１１の開口１４から露出するから、釣人は、実釣中であってもタックルケース１３の蓋３４を自在に開閉することができ、小物類を容易に取り出すことができる。
【００３１】
また、バッグ本体１１が樹脂製のコア部材１５を備えているから（図５参照）、海水や釣餌等がバッグ本体１１の内壁面に付着したとしても、これらは容易に洗い流される。しかも、タックルケース１３が支持される座部１９がこのコア部材１５と一体的に形成されているから、座部１９が安価に形成され、タックルケース１３の位置決めも容易になされる。したがって、タックルケース１３は、バッグ本体１１の所定位置に正確に位置決めされ、蓋３４がバッグ本体１１の開口１４から確実に露出する。
【００３２】
特に本実施形態では、タックルケース１３の蓋３４は、スライドファスナー３５を介して開閉自在となっており（図８参照）、タックルケース１３は、このスライドファスナー３５が露出するようにバッグ本体１１に支持されている（図４参照）。したがって、釣人は、スライドファスナー３５を簡単に操作することができ、これにより、簡単にタックルケース１３の蓋３４を開閉することができる。その結果、釣人は、実釣中に片手でタックルケース１３の蓋３４を開け、小物類を取り出すことができる。
【００３３】
上記蓋３４は透明であるから、釣人は、タックルケース１３に収容されている小物類を外部から確認することができる。したがって、釣人は、タックルケース１３を開ける前に取り出そうとするタックルが存在するか否かを確認することができるという利点がある。加えて、上記蓋３４は小物収容ポケットを備えているので、釣人は、複数の小物類をさらに分類して整理収容することができるという利点もある。
【００３４】
なお、図８が示すように、タックルケース１３の把手４３は、ケース本体３３の対向する側面に取り付けられている。したがって、釣人がこの把手４３を把持したときは、当該タックルケース１３は、側面が把手４３によって支持され、水平状態を保ったまま持ち上げられる。このことは、蓋３４が開かれていても閉じられていても同様である。すなわち、仮に把手４３が蓋３４に設けられている場合には、万一、蓋３４が開いている状態で釣人が把手３４を持つと蓋３４が一気に全開され内部の小物類が外部に飛び出してしまうというおそれがあるが、本実施形態では、蓋３４が開いていてもそのような問題は生じない。
【産業上の利用可能性】
【００３５】
本発明は、魚釣りの際に使用される釣用バッグに適用され得る。
【図面の簡単な説明】
【００３６】
【図１】図１は、本発明の一実施形態に係る釣用バッグの前方斜視図である。
【図２】図２は、本発明の一実施形態に係る釣用バッグの後方斜視図である。
【図３】図３は、本発明の一実施形態に係る釣用バッグの斜視図であり、扉が開かれた状態が図示されている。
【図４】図４は、図３の要部拡大斜視図である。
【図５】図５は、本発明の一実施形態に係るバッグ本体の斜視図であり、タックルケースが取り外された状態が図示されている。
【図６】図６は、図５における要部拡大斜視図である。
【図７】図７は、本発明の一実施形態に係るバッグ本体の後面の拡大斜視図である。
【図８】図８は、本発明の一実施形態に係るバッグ本体に設けられるタックルケースの外観斜視図である。
【図９】図９は、本発明の一実施形態に係るバッグ本体に設けられるタックルケースの内部構造を詳細に示す斜視図である。
【図１０】図１０は、図９における要部拡大斜視図である。
【図１１】図１１は、図１０におけるXI−XI断面図である。
【符号の説明】
【００３７】
１０・・・釣用バッグ
１１・・・バッグ本体
１２・・・扉
１３・・・タックルケース
１４・・・開口
１５・・・コア部材
１６・・・カバー
１８・・・柱部材
１９・・・座部
２０・・・肩掛けベルト
２１・・・ベルト本体
２２・・・肩パッド
２３・・・リング
２４・・・連結ベルト
２５・・・バックル
２６・・・後面
２７・・・ベルト保持部
２８・・・保持ベルト
２９・・・面ファスナー
３０・・・基端部
３１・・・先端部
３２・・・中央部
３３・・・ケース本体
３４・・・蓋
３５・・・スライドファスナー
３６・・・透明の生地
３７・・・生地
３８・・・生地
３９・・・スライドファスナー
４０・・・面ファスナー
４１・・・ポケット
４２・・・ポケット
４３・・・把手
４４・・・摘み
【図１】
2006174729.tif 000003
【図２】
2006174729.tif 000004
【図３】
2006174729.tif 000005
【図４】
2006174729.tif 000006
【図５】
2006174729.tif 000007
【図６】
2006174729.tif 000008
【図７】
2006174729.tif 000009
【図８】
2006174729.tif 000010
【図９】
2006174729.tif 000011
【図１０】
2006174729.tif 000012
【図１１】
2006174729.tif 000013